(57)【要約】【課題】密閉可能で取り扱いの容易な放射能測定用の検体容器を提供する。【解決手段】放射能濃度を測定したい検体が入れられ、放射能測定装置にて検体の放射能濃度を測定するための検体容器１である。有底円筒状の容器本体２と、この容器本体２の上部に形成された開口部４を開閉する蓋３とを備える。蓋３は、容器本体２の開口部４に着脱可能にねじ込まれて設けられる。蓋３をした状態では、容器本体２内は密閉される。ペットボトルから構成して使い捨てとしてもよい。【選択図】図１
2013088408.tif 000002
【特許請求の範囲】
【請求項１】
放射能濃度を測定したい検体が入れられ、放射能測定装置にて前記検体の放射能濃度を測定するための容器であって、
有底円筒状の容器本体と、この容器本体の上部に形成された開口部を開閉する蓋とを備え、
前記蓋は、前記容器本体の開口部に着脱可能にねじ込まれて設けられる
ことを特徴とする放射能測定用検体容器。
【請求項２】
前記容器本体内の空間を狭めることが可能に構成された
ことを特徴とする請求項１に記載の放射能測定用検体容器。
【請求項３】
前記容器本体を上下に伸縮可能に、前記容器本体の周側壁に蛇腹状部が形成されている
ことを特徴とする請求項２に記載の放射能測定用検体容器。
【請求項４】
前記容器本体の底部には、前記放射能測定装置の検出器へのはめ込み部となる円筒状の窪みが形成されており、
前記蛇腹状部は、前記容器本体の周側壁の内、前記窪みの上端部より上方に設けられる
ことを特徴とする請求項３に記載の放射能測定用検体容器。
【請求項５】
前記容器本体には上壁が形成されており、
この上壁の中央部に、上方へ突出して口部が形成されており、
この口部に、前記蓋が着脱可能に設けられ、
前記上壁は、前記容器本体の径方向内側へ行くに従って下方へ傾斜する傾斜面を形成されており、
前記容器本体の口部に前記蓋を取り付けた状態で、前記蓋の上面は、前記容器本体の周側壁の上端部と同一か低くなる
ことを特徴とする請求項１〜４のいずれか１項に記載の放射能測定用検体容器。
【請求項６】
前記容器本体は、ペットボトルから形成される
ことを特徴とする請求項１〜５のいずれか１項に記載の放射能測定用検体容器。
【請求項７】
前記容器本体内の空間を狭めるように、前記容器本体内に前記蓋をねじ込み可能である
ことを特徴とする請求項２に記載の放射能測定用検体容器。
【請求項８】
前記容器本体の底部には、前記放射能測定装置の検出器へのはめ込み部となる円筒状の窪みが形成されており、
この窪みの上部は、先細りに形成されている
ことを特徴とする請求項７に記載の放射能測定用検体容器。
【請求項９】
前記容器本体は、検体が入れられることで所定の形状に膨らむ柔軟な素材で形成されている
ことを特徴とする請求項２に記載の放射能測定用検体容器。
【発明の詳細な説明】
【技術分野】
【０００１】
本発明は、放射能濃度を測定したい検体が入れられ、放射能測定装置にて検体の放射能濃度を測定するのに用いられる放射能測定用検体容器に関するものである。
【背景技術】
【０００２】
従来、放射能濃度の測定は、専門機関において専門家により行われてきたが、福島第一原子力発電所の事故を機に、一般の事業者や家庭にも、放射能濃度の測定についてのニーズが急拡大している。
【０００３】
ところが、すべての事業所や家庭に、高価な放射能測定装置を設置するのは現実的ではない。そのため、従来からの専門機関に様々な検体についての放射能濃度の測定の依頼が集中し、処理しきれない状況にある。そして、このような専門機関による測定には、時間だけでなく、比較的高額な費用も要した。
【０００４】
そこで、本件発明者らは先に、これまで放射能濃度の測定に縁のなかった者でも、自分自身で手軽に放射能濃度の測定を行えるシステムを提案し、既に特許出願を済ませている（特願２０１１−２２１１８４）。ただ、この場合でも、従来公知の検体容器を使用する場合には、従来公知の検体容器は、放射能濃度の測定に不慣れな者にとって容易に取り扱える構造にはなっておらず、放射能濃度の測定の普及を阻害する要因の一つとなっていた。
【０００５】
また、検体が野菜などである場合、細かく刻んで、検体容器内に隙間なく詰め込むことが望まれるが、従来の検体容器には、検体を詰め込むための工夫はなされていない。
【０００６】
さらに、マリネリ容器に代表される従来の検体容器は、高価であり、繰り返しの使用が前提である。検体容器を使い捨てにしない場合、検体容器の洗浄が必要となり、洗浄が不十分であれば、測定結果に悪影響を与えるおそれもある。また、検体をビニール袋に入れ、それを検体容器に入れることも行われているが、突起のある岩石を含む土砂など、検体によってはビニール袋が破けるおそれもある。
【発明の概要】
【発明が解決しようとする課題】
【０００７】
本発明が解決しようとする課題は、密閉可能で取り扱いの容易な放射能測定用検体容器を提供することにある。また、他の課題は、検体を詰め込みやすい放射能測定用検体容器を提供することにある。さらに、他の課題は、密閉性および耐衝撃性のある使い捨て容器とすることができ、使い捨てとすることで測定結果の信頼性を向上できる放射能測定用検体容器を提供することにある。そして、これらを具備した容器を提供することにより、食品等の放射能濃度の測定を少数の専門家が高コストで行うものではなく、一般大衆が低コストで大量に行うことができるようにする。
【課題を解決するための手段】
【０００８】
本発明は、前記課題を解決するためになされたもので、請求項１に記載の発明は、放射能濃度を測定したい検体が入れられ、放射能測定装置にて前記検体の放射能濃度を測定するための容器であって、有底円筒状の容器本体と、この容器本体の上部に形成された開口部を開閉する蓋とを備え、前記蓋は、前記容器本体の開口部に着脱可能にねじ込まれて設けられることを特徴とする放射能測定用検体容器である。
【０００９】
請求項１に記載の発明によれば、容器本体の開口部にねじ込んで蓋をすることができるので、容器本体を簡易に密閉することができ、検体容器の取り扱いが容易である。
【００１０】
請求項２に記載の発明は、前記容器本体内の空間を狭めることが可能に構成されたことを特徴とする請求項１に記載の放射能測定用検体容器である。
【００１１】
請求項２に記載の発明によれば、刻んだ野菜などが検体である場合、容器本体に検体を入れた後、容器本体内の空間を狭めるよう操作することで、容器本体に検体を隙間なく詰めることができる。
【００１２】
請求項３に記載の発明は、前記容器本体を上下に伸縮可能に、前記容器本体の周側壁に蛇腹状部が形成されていることを特徴とする請求項２に記載の放射能測定用検体容器である。
【００１３】
請求項３に記載の発明によれば、容器本体に検体を入れた後、蛇腹状部を縮めることで、容器本体に検体を隙間なく詰めることができる。また、検体容器の使用前および使用後には、蛇腹状部を縮めてコンパクトに収納ないし廃棄することができる。
【００１４】
請求項４に記載の発明は、前記容器本体の底部には、前記放射能測定装置の検出器へのはめ込み部となる円筒状の窪みが形成されており、前記蛇腹状部は、前記容器本体の周側壁の内、前記窪みの上端部より上方に設けられることを特徴とする請求項３に記載の放射能測定用検体容器である。
【００１５】
請求項４に記載の発明によれば、放射能測定装置の検出器へのはめ込み部を有するマリネリ容器とすることができる。しかも、そのはめ込み部よりも上方位置において蛇腹状部を設けたので、放射能測定装置の検出器へのセットを適切に行うことができる。
【００１６】
請求項５に記載の発明は、前記容器本体には上壁が形成されており、この上壁の中央部に、上方へ突出して口部が形成されており、この口部に、前記蓋が着脱可能に設けられ、前記上壁は、前記容器本体の径方向内側へ行くに従って下方へ傾斜する傾斜面を形成されており、前記容器本体の口部に前記蓋を取り付けた状態で、前記蓋の上面は、前記容器本体の周側壁の上端部と同一か低くなることを特徴とする請求項１〜４のいずれか１項に記載の放射能測定用検体容器である。
【００１７】
請求項５に記載の発明によれば、容器本体の上壁は径方向内側へ行くに従って下方へ傾斜する傾斜面を形成されており、容器本体の口部に蓋を取り付けた状態で、蓋の上面は容器本体の周側壁の上端部と同一か低くなる。従って、容器本体の大きさ（直径および高さ）を、従来の放射能測定装置専用の検体容器に合わせておけば、従来公知の既存の放射能測定装置にも対応可能となる。
【００１８】
請求項６に記載の発明は、前記容器本体は、ペットボトルから形成されることを特徴とする請求項１〜５のいずれか１項に記載の放射能測定用検体容器である。
【００１９】
請求項６に記載の発明によれば、容器本体をペットボトルから構成することで、密閉性および耐衝撃性のある検体容器とすることができる。また、使い捨て容器とすることもでき、その場合には測定結果の信頼性を向上することができる。
【００２０】
請求項７に記載の発明は、前記容器本体内の空間を狭めるように、前記容器本体内に前記蓋をねじ込み可能であることを特徴とする請求項２に記載の放射能測定用検体容器である。
【００２１】
請求項７に記載の発明によれば、容器本体内に蓋をねじ込んでいくことで、容器本体内の空間を狭めて、容器本体に検体を隙間なく詰めることができる。
【００２２】
請求項８に記載の発明は、前記容器本体の底部には、前記放射能測定装置の検出器へのはめ込み部となる円筒状の窪みが形成されており、この窪みの上部は、先細りに形成されていることを特徴とする請求項７に記載の放射能測定用検体容器である。
【００２３】
請求項８に記載の発明によれば、放射能測定装置の検出器へのはめ込み部を有するマリネリ容器とすることができる。また、窪みの上部を先細りに形成したので、容器本体内に蓋をねじ込んでいくことで、容器本体内の窪みの周囲の円環状溝内に検体を詰め込みやすい。
【００２４】
さらに、請求項９に記載の発明は、前記容器本体は、検体が入れられることで所定の形状に膨らむ柔軟な素材で形成されていることを特徴とする請求項２に記載の放射能測定用検体容器である。
【００２５】
請求項９に記載の発明によれば、柔軟な素材で形成されているので、容器本体に検体を入れた後、容器本体を外から押し付けるなどしつつ、容器本体内に検体を隙間なく詰めることができる。また、検体容器の使用前および使用後には、検体容器をつぶしておくことでコンパクトに収納ないし廃棄することができる。
【発明の効果】
【００２６】
本発明によれば、密閉可能で取り扱いの容易な放射能測定用検体容器を実現することができる。また、実施の形態によっては、検体を詰め込むための構造を付与することもできる。さらに、実施の形態によっては、密閉性および耐衝撃性のある使い捨て容器とすることができ、使い捨てとすることで測定結果の信頼性を向上することができる。そして、ひいては、食品等の放射能濃度の測定を少数の専門家が高コストで行うものではなく、一般大衆が低コストで大量に行うことができるようになる。
【図面の簡単な説明】
【００２７】
【図１】本発明の放射能測定用検体容器の実施例１を示す概略斜視図であり、蓋を外した状態を示している。
【図２】図１の検体容器の蓋をした状態を示す図である。
【図３】図１の検体容器の使用状態を示す概略縦断面図であり、放射能測定装置に検体容器をセットした状態を示している。
【図４】実施例１の変形例を示す図である。
【図５】本発明の放射能測定用検体容器の実施例２を示す概略縦断面図である。
【図６】実施例２の変形例を示す図である。
【図７】本発明の放射能測定用検体容器の実施例３を示す概略縦断面図である。
【図８】実施例３の変形例を示す図である。
【図９】本発明の放射能測定用検体容器の実施例４を示す概略縦断面図である。
【図１０】図９におけるＸ−Ｘ矢視図である。
【図１１】本発明の放射能測定用検体容器の実施例５を示す概略縦断面図である。
【図１２】実施例５の変形例を示す図である。
【図１３】放射能測定用検体の搬送用梱包箱の一例を示す概略斜視図であり、（Ａ）は蓋を外した状態、（Ｂ）および（Ｃ）は使用状態を順に示している。
【発明を実施するための形態】
【００２８】
本発明の放射能測定用検体容器は、各種検体が入れられ、放射能測定装置にて検体の放射能濃度を測定するための容器である。
【００２９】
検体とは、放射能濃度を測定したい対象物（試料）であり、固体、液体、または両者の混合物である。検体は、その内容を特に問わないが、たとえば、食品、食材、食肉、農産物、液体（水など）、草木、土壌などである。これらは、所望により適宜粉砕されて、検体容器に入れられて、放射能測定装置により放射能濃度（Ｂｑ／ｋｇまたはＢｑ／ｌ）が測定される。なお、放射能測定装置は、特に問わないが、たとえばシンチレーション検出器またはゲルマニウム半導体検出器である。
【００３０】
検体容器は、有底筒状（典型的には有底円筒状）の容器本体と、この容器本体の上部の開口部を開閉する蓋とを備える。容器本体の開口部は、容器本体の上部において、全域で開口するよう形成されてもよいし、一部で開口するよう形成されてもよい。後者の場合、容器本体の上部には上壁が形成され、その上壁の一部（典型的には容器本体の径方向中央部）において、開口部が形成される。この際、容器本体の上壁に、上方へ突出して口部（首部ということもできる）が形成され、その口部にキャップ状の蓋が着脱可能に設けられてもよい。
【００３１】
既存の放射能測定装置に対応できるように、検体容器の大きさは、従来公知の検体容器の大きさに揃えるのがよい。容器本体に口部（首部）を形成する場合には、容器本体の上壁は径方向内側へ行くに従って下方へ傾斜する傾斜面を形成され、容器本体の口部に蓋を取り付けた状態で、蓋の上面が容器本体の周側壁の上端部と同一か低くなるよう形成してもよい。この場合、容器本体の大きさ（直径および高さ）を従来の検体容器に合わせておけば、従来公知の既存の放射能測定装置にも対応可能となる。
【００３２】
いずれにしても、蓋は、容器本体の開口部に着脱可能にねじ込まれて設けられる。容器本体に蓋を最後までねじ込んで締めた状態では、容器本体内は密閉される。
【００３３】
検体が刻んだ野菜などである場合、放射能濃度の測定結果の信頼性を高めるには、容器本体に検体を隙間なく詰め込む必要がある。そのために、検体容器は、容器本体内の空間を狭めることが可能に構成されるのが好ましい。たとえば、容器本体の周側壁の一部または全部を蛇腹状に形成し、検体を入れた後に蛇腹状部を縮めることで、容器本体に検体を押し詰めることができるようにする。あるいは、容器本体の中空穴内に蓋をねじ込んでいくことで、容器本体内の空間を狭めて、容器本体に検体を押し詰めることができるようにしてもよい。
【００３４】
容器本体の底部には、放射能測定装置の検出器（エンドキャップ）へのはめ込み部となる円筒状の窪みが形成されていてもよい。この場合、検体容器は、マリネリ容器となり、放射能測定装置の検出器に容器本体の窪みをはめ込んで、放射能測定装置にセットされる。一方、容器本体の底部に窪みを形成しない場合、検体容器は放射能測定装置の検出器の上に載せられるなどしてセットされる。
【００３５】
検体容器は、その素材を特に問わないが、使い捨て容器とする場合、従来公知の飲料用ペットボトルと同様に、容器本体はペットボトルから形成するのがよい。あるいは、従来公知の浮き輪と同様に、検体容器は柔軟な素材で形成し、検体が入れられることで所定の形状に膨らむ構成としてもよい。
以下、本発明の具体的実施例を図面に基づいて、さらに詳細に説明する。
【実施例１】
【００３６】
図１および図２は、本発明の放射能測定用検体容器の実施例１を示す概略図であり、図１は蓋を外した状態、図２は蓋をした状態を示している。また、図３は、本実施例の検体容器の使用状態を示す概略縦断面図である。
【００３７】
本実施例の検体容器１は、容器本体２と蓋３とからなり、容器本体２の開口部４に対し蓋３は着脱可能にねじ込まれる。容器本体２の開口部４に蓋３をした状態では、容器本体２内は密閉される。
【００３８】
容器本体２は、典型的には、透明素材により有底円筒状に形成される。本実施例の容器本体２は、周側壁上部に径方向内側へ延出して上壁５が形成されており、この上壁５の中央部には、上方へ突出して口部（首部）６が形成されている。この口部６において、容器本体２の内外は連通される。口部６の外周面にはネジ７が形成されている。
【００３９】
一方、蓋３は、本実施例ではキャップ状とされ、下方へのみ開口する短円筒状に形成されており、その内周面はネジ穴８とされている（図３）。従って、容器本体２の口部６に蓋３をねじ込んで取り付けることができ、口部６に蓋３を最後までねじ込むことで、容器本体２内は密閉される。
【００４０】
容器本体２の上壁５は、水平面でもよいが、その場合、口部６および蓋３が上方へ突出した形となってしまい、従来公知の検体容器の大きさに揃えて既存の放射能測定装置９内にセットすることができない。そこで、本実施例では、容器本体２の上壁５を逆円錐台状に形成している。つまり、容器本体２の上壁５は、径方向内側へ行くに従って下方へ傾斜して形成されている。そして、容器本体２の口部６に蓋３を取り付けた状態で、蓋３の上面が容器本体２の周側壁の上端部と同一か低くなるよう形成される。これにより、容器本体２の大きさ（直径および高さ）を従来の検体容器に合わせておけば、既存の放射能測定装置９にも対応可能となる。なお、上壁５は、全体が逆円錐台状に形成される必要はなく、外周部や口部６周辺においては円環状の水平面として残されていてもよい。
【００４１】
口部６の内径は、図示例では後述する窪み１０の外径より小さいが、場合により窪み１０の外径よりも大きくしてもよい。検体が液体である場合には、口部６の内径は小さくて足りるが、検体が固体（たとえば野菜を刻んだもの）の場合には、割り箸などの棒材を用いて検体を突きつつ、容器本体２内に検体を隙間なくしっかり詰め込めることができるように、口部６から差し込んだ棒材の先端部が、容器本体２の底部（容器本体２内の底部の少なくとも外周部）に当てることができるようにしておくのもよい。
【００４２】
容器本体２の底部の中央部には、放射能測定装置９の検出器（エンドキャップ）１１へのはめ込み部となる円筒状の窪み１０が形成されている。よって、本実施例の検体容器１は、マリネリ容器となる。
【００４３】
本実施例の検体容器１は、その素材を特に問わないが、通常、透明な合成樹脂を用いて形成される。また、ペットボトルから形成すれば、安価に、検体容器１を使い捨てにすることもできる。つまり、従来公知の飲料用ペットボトルと同様に、容器本体２は、ポリエチレンテレフタレート（ＰＥＴ）から形成され、蓋３は、ポリプロピレン（ＰＰ）やポリエチレン（ＰＥ）などから形成されてもよい。従来のように検体容器１をその都度洗浄して使い回す場合には、洗浄不足により測定結果に悪影響を及ぼすおそれがあるが、検体容器１を使い捨てとすることで、そのような不都合を防止することができる。
【００４４】
検体容器１の使用時には、容器本体２の口部６から検体を入れて、容器本体２の口部６に蓋３をしっかり締めた後、検体容器１を放射能測定装置９にセットして、検体の放射能濃度を測定すればよい。
【００４５】
放射能測定装置９は、検体容器１を収容して検体の放射能濃度を測定する装置である。放射能測定装置９は、従来公知の各種の装置を用いることができるが、たとえばシンチレーション検出器が用いられる。この場合、検体に含まれる放射性核種からの微量なガンマ（γ）線を検出して、検体の重量または容積を用いつつ、放射性核種ごとの放射能濃度（Ｂｑ／ｋｇまたはＢｑ／ｌ）を測定する。但し、放射性核種ごとではなく全体としての放射能濃度を測定してもよい。
【００４６】
放射能測定装置９は、その構成を特に問わないが、図示例では、放射能検出器（ここではシンチレーション検出器）１１を備えた測定台１２と、その上部を覆う扉１３とから構成される。測定台１２の扉１３，１３を閉じた状態では、測定台１２とその扉１３との間に、検体容器１を収容する閉鎖空間が形成され、この閉鎖空間は、測定台１２や扉１３に設けられた鉛１４により外部と遮蔽される。外部と遮蔽されるので、検体の放射能濃度を正確に測定することができる。
【００４７】
測定台１２の扉１３について説明すると、図示例では、測定台１２の上に被せられる下方へ開口する円筒材が左右に二つ割りされて、左右二つの扉１３，１３を有する。そして、各扉１３は、後方においてヒンジで結合されており、図３において左右方向外側へ開く構成とされている。なお、扉１３の上面には、取手１５が設けられている。
【００４８】
このような構成の放射能測定装置９への検体容器１のセットは、測定台１２の扉１３を開けた状態で、検体容器１の底部の窪み１０を放射能測定装置９の検出器１１にはめ込めばよい。そして、測定台１２の扉１３を閉じて、放射能濃度の測定がなされる。検体容器１は密閉されているので、液漏れなどの心配がなく、放射能測定に不慣れな者でも容易に取り扱うことができる。
【００４９】
図４は、本実施例１の変形例を示す概略斜視図である。この変形例の検体容器１は、図１の検体容器と同様の構成であるが、容器本体２の底部に窪み１０を形成していない点で異なる。この場合、検体容器１は放射能測定装置９の放射能検出器１１の上に載せられるなどしてセットされる。なお、検体容器１の大きさは、放射能測定装置９の前記閉鎖空間の大きさに応じて適宜に変更されることは言うまでもない。
【実施例２】
【００５０】
図５は、本発明の放射能測定用検体容器１の実施例２を示す概略縦断面図である。本実施例の検体容器１も、基本的には前記実施例１の検体容器１と同様である。そのため、以下では、両者の異なる点を中心に説明し、対応する箇所には同一の符号を付して説明する。
【００５１】
本実施例２の検体容器１は、容器本体２に上壁５が形成されておらず、容器本体２は、周側壁上方において全域で開口する。そして、容器本体２の外周面の上部にはネジ７が形成されている。より具体的には、容器本体２は、上端部の設定領域が若干小径に形成されており、その小径部の外周面にネジ７が形成されている。
【００５２】
一方、蓋３は、容器本体２と同一の外径を有する短円筒状であり、下方へのみ開口し、その中空穴はネジ穴８とされている。容器本体２に蓋３を被せてねじ込むことで、検体容器１を密閉することができる。
【００５３】
本実施例の場合、検体容器１は、上面を水平面とすることができ、従来公知の検体容器の大きさに揃えやすい。また、容器本体２の底壁中央部には、前記実施例１と同様に、放射能測定装置９の検出器１１へのはめ込み部となる窪み１０が形成されている。但し、変形例として図６に示すように、この窪み１０を省略することも可能である。
【実施例３】
【００５４】
図７は、本発明の放射能測定用検体容器１の実施例３を示す概略縦断面図である。本実施例の検体容器１も、基本的には前記実施例１の検体容器１と同様である。そのため、以下では、両者の異なる点を中心に説明し、対応する箇所には同一の符号を付して説明する。
【００５５】
本実施例３では、容器本体２の周側壁の一部が蛇腹状に形成されており、この蛇腹状部１６にて容器本体２を上下に伸縮可能である。検体が刻んだ野菜などである場合、二点鎖線で示すように蛇腹状部１６をある程度伸ばした状態で、蛇腹状部１６のある高さまで容器本体２に検体を入れた後、実線で示すように蛇腹状部１６を縮めることで、容器本体２に検体を押し詰めることができる。
【００５６】
なお、蛇腹状部１６を縮める際、容器本体２内の空気を外部へ排出するために、容器本体２に対し蓋３を外すか緩めておく。あるいは、蓋など、適宜の位置に微小な空気抜き孔１７を設けておけば、容器本体２に対し蓋３を締めた状態で、蛇腹状部１６を縮めることもできる。なお、空気抜き孔１７は、検体容器１の輸送時にはシールなどで塞がれるか、所定以上の圧力がかかった場合にのみ開く構成とされている。
【００５７】
容器本体２の底壁中央部には、前記実施例１と同様に、放射能測定装置９の検出器１１へのはめ込み部となる窪み１０が形成されている。これに伴い、蛇腹状部１６は、容器本体２の周側壁の内、窪み１０の上端部より上方に設けるのがよい（「蛇腹状部１６の下端部の高さＨ１」≧「窪み１０の上端部の高さＨ２」）。
【００５８】
一方、変形例として図８に示すように、容器本体２の底部の窪み１０を省略することも可能である。その場合、容器本体２の周側壁の全部を蛇腹状部１６とすることもできるし、容器本体２の周側壁の上下方向一部においてのみ蛇腹状部１６とすることもできる。
【００５９】
いずれにしても、本実施例の構成によれば、蛇腹状部１６の伸縮を利用して、容器本体２内に検体を詰めやすい。また、検体容器１の使用前や使用後には蛇腹状部１６を縮めておくことで、コンパクトに収納、保管ないし廃棄することができる。
【実施例４】
【００６０】
図９および図１０は、本発明の放射能測定用検体容器１の実施例４を示す概略図であり、図９は縦断面図、図１０はそのＸ−Ｘ矢視図である。本実施例の検体容器１も、基本的には前記実施例１の検体容器１と同様である。そのため、以下では、両者の異なる点を中心に説明し、対応する箇所には同一の符号を付して説明する。
【００６１】
本実施例４の検体容器１は、容器本体２に上壁５が形成されておらず、容器本体２は、周側壁上方において全域で開口する。容器本体２の内周面の上部にはネジが形成されている。つまり、容器本体２の中空穴の上部は、ネジ穴１８に形成されている。
【００６２】
一方、蓋３は、容器本体２の内径と対応した外径を有する短円筒状であり、上方へのみ開口し、外周面にはネジ１９が形成されている。従って、容器本体２の中空穴（上部のネジ穴１８）に蓋３をねじ込んで取り付けることができる。しかも、蓋３は、容器本体２内に埋没するまで、容器本体２内にねじ込み可能とされている。容器本体２への蓋３のねじ込みを容易にするために、蓋３には、図１０に示すように、たとえば十字形状のリブ２０が設けられるなどして、取手が設けられている。
【００６３】
検体が刻んだ野菜などである場合、ネジ穴１８のある高さまで容器本体２に検体を入れた後、容器本体２の中空穴に蓋３をねじ込んでいき、容器本体２内の容積を狭めればよい。これにより、容器本体２に検体を押し詰めることができる。なお、蓋３には適宜の位置に、実施例３と同様の空気抜き孔１７が形成されており、容器本体２に蓋３をねじ込む際には、容器本体２内の空気が空気抜き孔１７から外部へ排出される。
【００６４】
容器本体２の底壁中央部には、前記実施例１と同様に、放射能測定装置９の検出器１１へのはめ込み部となる円筒状の窪み１０が形成されている。この際、窪み１０の上部１０ａは、上方へ行くに従って先細りとなる円錐状に形成しておくのが好ましい。これにより、容器本体２内に蓋３をねじ込む際、検体は、窪み１０の周囲の円環状溝内に詰められることになる。
【実施例５】
【００６５】
図１１は、本発明の放射能測定用検体容器１の実施例５を示す概略縦断面図である。本実施例の検体容器１も、基本的には前記実施例１の検体容器１と同様である。そのため、以下では、両者の異なる点を中心に説明し、対応する箇所には同一の符号を付して説明する。
【００６６】
前記実施例１の検体容器１は、空の状態でも形を保つよう形成されたが、本実施例５の検体容器１は、空の状態では潰すことができる。つまり、本実施例の検体容器１は、従来公知のビニール製の浮き輪と同様に、内部に検体や空気などをつめない限り、形を保たない柔軟な素材（たとえば軟質塩化ビニール樹脂）で形成されている。そして、容器本体２は、検体が入れられることで所定の形状に膨らみ自立し、検体容器１として利用することができる。但し、この状態でも、手で押さえれば、容器本体２を変形させることは可能であるから、容器本体２に検体を入れた後、容器本体２内に検体を詰めることができる。
【００６７】
この場合も、容器本体２の底壁中央部には、前記実施例１と同様に、放射能測定装置９の検出器１１へのはめ込み部となる円筒状の窪み１０が形成されている。但し、変形例として図１２に示すように、容器本体２の底部の窪み１０を省略することも可能である。
【００６８】
いずれにしても、本実施例の構成によれば、検体容器１の変形を利用して、容器本体２内に検体を詰めることができる。また、検体容器１の使用前や使用後にはつぶしておくことで、コンパクトに収納、保管ないし廃棄することができる。
【００６９】
本発明の放射能測定用検体容器１は、前記各実施例（各変形例を含む）の構成に限らず適宜変更可能である。特に、容器本体２に蓋３がねじにより着脱可能であれば、容器本体２や蓋３の形状、大きさ、材質などは適宜に変更可能である。
【００７０】
また、前記実施例では、放射能測定装置９としてシンチレーション検出器に用いる例について説明したが、これ以外の各種の放射能測定装置９にも同様に適用可能である。
【００７１】
また、前記実施例１、実施例３および実施例５では、口部６の外周部にキャップ状の蓋３を被せるようねじ込む例について説明したが、口部６の内側に栓状の蓋３をねじ入れるようにしてもよい。また、口部６を省略して、容器本体２の上壁５に形成した開口部に、栓状の蓋３をねじ入れるようにしてもよい。
【００７２】
さらに、前記各実施例において、容器本体２の周側壁には、適宜、液体量を把握するための目盛を付してもよい。たとえば内容量が１００ｍｌごとに上下に目盛を付すことで、検体容器１内に入れた液体の量を把握可能としてもよい。
【００７３】
最後に、検体（試料）の放射能濃度の測定を専門機関や検査業者に依頼したい依頼者が、検体を専門機関などに搬送（郵送・宅配など）する場合に役立つ梱包材について説明する。従来、依頼者が検体を準備し専門機関などに送付する際、マリネリ容器などの専用容器を利用できない場合もある。その場合、検体を重量ではなく容量で準備したい場合、検体をマリネリ容器に適した容量（たとえば１リットル）に計量することが困難な場合もあった。また、梱包が不十分な場合、搬送時の負荷や衝撃により、検体が漏れ出すおそれもあった。そこで、図１３に示すような梱包材を用いてもよい。
【００７４】
図１３は、放射能測定用検体の搬送用梱包箱２１の一例を示す概略斜視図であり、（Ａ）は蓋を外した状態、（Ｂ）および（Ｃ）は使用状態を順に示している。梱包箱２１は、発泡スチロールまたは積層段ボールなどから形成され、箱本体２２と蓋２３とからなる。
【００７５】
箱本体２２は、典型的には直方体状であり、その中央部には、上方へのみ開口して穴２４が形成されると共に、その穴２４の底壁の中央部には、マリネリ容器の円筒状の窪みと対応した円筒状の突部２５が上方へ突出して形成されている。このようにして、箱本体２２には、マリネリ容器の内容積およびサイズと同一の穴２４が形成されている。なお、箱本体２２の上面には、前記穴２４を取り囲むように、円環状の凹溝２６が形成されている。
【００７６】
一方、蓋２３は、典型的には長方形の板状であり、その下面には、円環状の凸部２７が形成されている。この凸部２７の大きさは、箱本体２２の凹溝２６の大きさに対応している。従って、箱本体２２の凹溝２６に蓋２３の凸部２７をはめ込みつつ、箱本体２２の上面に蓋２３の下面を当接して蓋２３を閉じることができる。
【００７７】
梱包箱２１の使用に当たっては、同図（Ｂ）に示すように、ビニール袋（ポリ袋）２８を箱本体２２の穴２４に沿わせるように広げて配置し、そのビニール袋２８内に検体２９を入れればよい。箱本体２２の穴２４の大きさは、マリネリ容器の内容量およびサイズと同一であるため、検体２９の計量を正確で簡単に行うことができる。そして、同図（Ｃ）に示すように、ビニール袋２８の口に封３０をした後、箱本体２２に蓋２３をして、専門機関などに送付する。
【００７８】
従来のようにマリネリ容器を梱包材で包むのではなく、梱包箱２１そのものに検体が入れられるので、その一体性により検体そのものを十分に保護することができ、検体の漏れを防止できる。また、検体が液体ではなくペースト状程度の固体であれば、その形状をある程度維持するため、専門機関などにおいて梱包箱２１からマリネリ容器への移設も容易である。
【００７９】
なお、ここでは、マリネリ容器に対応した穴２４を梱包箱に形成する例を説明したが、穴２４の形状や大きさを変えることで、その他の放射能濃度測定用の各種の専用容器にも同様に適用可能である。また、箱本体２２の上面に凹溝２６、蓋２３の下面に凸部２７を形成したが、これとは逆に、箱本体２２の上面に凸部、蓋２３の下面に凹溝を形成してもよいし、箱本体２２と蓋２３とはその他の構成で閉められてもよい。
【符号の説明】
【００８０】
１  検体容器
２  容器本体
３  蓋
４  開口部
５  上壁
６  口部
７  ネジ
８  ネジ穴
９  放射能測定装置
１０  窪み
１１  放射能検出器
１２  測定台
１３  扉
１４  鉛
１５  取手
１６  蛇腹状部
１７  空気抜き孔
１８  ネジ穴
１９  ネジ
２０  リブ
２１  梱包箱
２２  箱本体
２３  蓋
２４  穴
２５  突部
２６  凹溝
２７  凸部
２８  ビニール袋
２９  検体
３０  封
【図１】
2013088408.tif 000003
【図２】
2013088408.tif 000004
【図３】
2013088408.tif 000005
【図４】
2013088408.tif 000006
【図５】
2013088408.tif 000007
【図６】
2013088408.tif 000008
【図７】
2013088408.tif 000009
【図８】
2013088408.tif 000010
【図９】
2013088408.tif 000011
【図１０】
2013088408.tif 000012
【図１１】
2013088408.tif 000013
【図１２】
2013088408.tif 000014
【図１３】
2013088408.tif 000015